(57)【要約】      （修正有）【課題】軽量化及び外観の向上を安価に行いつつ、被写体の位置を正確に視認させること。【解決手段】所定の曲率で形成された曲面を有する凸状の凸面１１と、この凸面の反対側に位置し、当該凸面の曲率とは異なる曲率で形成された曲面を有する凹状の凹面１２と、上記凹面の周縁に位置し、この凹面の周縁の仮想曲面１４よりも凸面側に形成された周縁部１３とを備えた眼鏡レンズ１であって、上記周縁部１３の曲面は、当該周縁部に連設する凹面１２と反対側の凸面１１の曲率と同一の曲率に形成されたものである。【選択図】図１
2007192845.tif 000002
【特許請求の範囲】
【請求項１】
視力補正機能を備えた眼鏡レンズであって、
処方度数を有するレンズ有効領域の周辺領域に、処方度数を有しない領域が設けられたことを特徴とする眼鏡レンズ。
【請求項２】
所定の曲率で形成された曲面を有する凸状の凸面と、
この凸面の反対側に位置し、当該凸面の曲率とは異なる曲率で形成された曲面を有する凹状の凹面と、
上記凸面または上記凹面の周縁に位置し、その凸面または凹面の周縁の仮想曲面よりもレンズ内部側に形成された周縁部と、を備えた眼鏡レンズであって、
上記周縁部の曲面は、当該周縁部が連設して形成された上記凸面または上記凹面に対し反対側の面の曲率と同一の曲率に形成されたことを特徴とする眼鏡レンズ。
【請求項３】
上記周縁部に連設する凸面または凹面の外周の形状は、半径１．０から２．５cｍの円形状であることを特徴とする請求項２に記載の眼鏡レンズ。
【請求項４】
上記周縁部に連設する凸面または凹面の外周の形状は、水平方向に横長の楕円形状であることを特徴とする請求項２に記載の眼鏡レンズ。
【請求項５】
所定の曲率の曲面を有する凸状の凸面を成形すると共に、この凸面の反対側に、当該凸面の曲率とは異なる曲率の曲面を有する凹状の凹面を成形する成形工程を備えた眼鏡レンズの製造方法であって、
上記成形工程の後に、上記凸面または上記凹面の周縁を切削して、この周縁が切削された面と反対側の面の曲率と同一の曲率の曲面を有する周縁部を形成する切削工程を備えることを特徴とする眼鏡レンズの製造方法。
【請求項６】
上記成形工程の後に、凹面の周縁よりも内側を掘削し、上記凹面の曲率よりも大きな曲率の曲面を形成する掘削工程を備えることを特徴とする請求項５に記載の眼鏡レンズの製造方法。
【請求項７】
上記掘削工程は、切削工程の前に行われることを特徴とする請求項６に記載の眼鏡レンズの製造方法。
【請求項８】
上記切削工程は、この切削工程により形成された周縁部と、凸面、凹面又は掘削工程により掘削された曲面との継ぎ目を平滑にする平滑工程を備えることを特徴とする請求項５乃至７のいずれかに記載の眼鏡レンズの製造方法。
【発明の詳細な説明】
【技術分野】
【０００１】
本発明は、眼鏡レンズ及び眼鏡レンズの製造方法に係り、特に、軽量化及び外観の向上を安価に行いつつ、被写体の位置を正確に視認させることができる眼鏡レンズ及び眼鏡レンズの製造方法に関する。
【背景技術】
【０００２】
近視用の眼鏡レンズについて、図６を参照して説明する。図６（Ａ）は、従来の近視用の眼鏡レンズ５０を直径に沿って切断して示す断面図であり、図６（Ｂ）は、従来の上記眼鏡レンズ５０と同じ材質で形成されると共に、上記眼鏡レンズ５０よりも屈折度数が大きな眼鏡レンズ５１を直径に沿って切断して示す断面図である。なお、眼鏡レンズ５０、５１を図６中の矢印Ｆ方向から見た場合の形状は円形状である。また、以下、眼鏡レンズ一般における側面の厚さを「こば厚」と称する。
【０００３】
図６（Ａ）に示すように、眼鏡レンズ５０は、所定の曲率で形成された凸状の曲面を有する凸面６１と、この凸面６１の反対側に位置し、当該凸面６１の曲率よりも大きな曲率で形成された凹状の曲面を有する凹面６２とを備えている。このようなメニスカス形状の眼鏡レンズ５０の屈折度数（屈折力）は、凸面６１の面屈折力と凹面６２の面屈折力との和で表され、これらの凸面６１、凹６２の面屈折力Ｐ０は、
Ｐ０＝（ｎ−１）／Ｒ０＝（ｎ−１）×Ｃ０
で表される。ここに、ｎは眼鏡レンズ５０の屈折率であり、Ｒ０は凸面６１、凹面６２のそれぞれの曲率半径を代表して示し、Ｃ０は凸面６１、凹面６２のそれぞれの曲率を代表して示す。
【０００４】
従って、眼鏡レンズ５０の屈折度数（屈折力Ｐ０）が大きくなると、凸面６１、凹面６２の曲率Ｃ０が大きくなる。このため、眼鏡レンズ５０よりも屈折度数が大きな眼鏡レンズ５１では、特に凸面６１Ａの曲率が凸面６１の曲率よりも小さい場合に、凹面６２Ａの曲率は、凹面６２の曲率よりもきわめて大きくなる。この結果、眼鏡レンズ５１のこば厚ｔ２は、眼鏡レンズ５０のこば厚ｔ１よりも大きくなり、従って、眼鏡レンズ５１は眼鏡レンズ５０よりも重くなると共に、外観が損なわれてしまう。
【０００５】
これに対し、実開平６−３６０２８号公報(特許文献１)には、所定の曲率で形成された曲面を有する凸状の凸面と、この凸面の反対側に位置し、この凸面の曲率よりも大きな曲率で形成された曲面を有する凹状の凹面と、この凹面の周縁に位置し、この凹面の周縁の仮想曲面よりも凸面側(レンズ内部側)に形成された平面状の周縁部とを備えた眼鏡レンズが開示されている。この仮想曲面は、例えば、眼鏡レンズ５１の凹面６２Ａの周縁を想定した場合の曲面であり、この仮想曲面よりも凸面側に周縁部が形成されることにより、眼鏡レンズ５１よりもこば厚を小さくすることができる。
【０００６】
一方、眼鏡レンズ５１の材質よりも屈折率の高い材質を使用することにより、眼鏡レンズ５１と同じ屈折度数を有しつつ、眼鏡レンズ５１のこば厚ｔ２よりも小さなこば厚を有する眼鏡レンズを形成する技術が知られている。
【特許文献１】実開平６−３６０２８号公報
【発明の開示】
【発明が解決しようとする課題】
【０００７】
しかしながら、屈折率の高い材質は一般に高価であるという課題がある。これに対し、上記特許文献１に開示された眼鏡レンズは、屈折率の高い材質を使用せずにこば厚を小さくすることができる。ところが、特許文献１に記載の眼鏡レンズの周縁部は平面状に形成されているので、その周縁部にプリズム作用が生じ、被写体の位置が実際の位置からずれて見えてしまうという課題がある。
【０００８】
本発明の目的は、上述の事情を考慮してなされたものであり、軽量化及び外観の向上を安価に行いつつ、被写体の位置を正確に視認させることができる眼鏡レンズ及び眼鏡レンズの製造方法を提供することにある。
【課題を解決するための手段】
【０００９】
請求項１に記載の発明に係る眼鏡レンズは、視力補正機能を備えた眼鏡レンズであって、処方度数を有するレンズ有効領域の周辺領域に、処方度数を有しない領域が設けられたことを特徴とするものである。
【００１０】
請求項２に記載の発明に係る眼鏡レンズは、所定の曲率で形成された曲面を有する凸状の凸面と、この凸面の反対側に位置し、当該凸面の曲率とは異なる曲率で形成された曲面を有する凹状の凹面と、上記凸面または上記凹面の周縁に位置し、その凸面または凹面の周縁の仮想曲面よりもレンズ内部側に形成された周縁部と、を備えた眼鏡レンズであって、上記周縁部の曲面は、当該周縁部が連設して形成された上記凸面または上記凹面に対し反対側の面の曲率と同一の曲率に形成されたものである。
【００１１】
請求項３に記載の発明に係る眼鏡レンズは、請求項２に記載の発明において、上記周縁部に連設する凸面または凹面の外周の形状は、半径１．０から２．５cｍの円形状であることを特徴とするものである。
【００１２】
請求項４に記載の発明に係る眼鏡レンズは、請求項２に記載の発明において、上記周縁部に連設する凸面または凹面の外周の形状は、水平方向に横長の楕円形状であることを特徴とするものである。
【００１３】
請求項５に記載の発明に係る眼鏡レンズの製造方法は、所定の曲率の曲面を有する凸状の凸面を成形すると共に、この凸面の反対側に、当該凸面の曲率とは異なる曲率の曲面を有する凹状の凹面を成形する成形工程を備えた眼鏡レンズの製造方法であって、上記成形工程の後に、上記凸面または上記凹面の周縁を切削して、この周縁が切削された面と反対側の面の曲率と同一の曲率の曲面を有する周縁部を形成する切削工程を備えることを特徴とするものである。
【００１４】
請求項６に記載の発明に係る眼鏡レンズの製造方法は、請求項５に記載の発明において、上記成形工程の後に、凹面の周縁よりも内側を掘削し、上記凹面の曲率よりも大きな曲率の曲面を形成する掘削工程を備えることを特徴とするものである。
【００１５】
請求項７に記載の発明に係る眼鏡レンズの製造方法は、請求項６に記載の発明において、上記掘削工程は、切削工程の前に行われることを特徴とするものである。
【００１６】
請求項８に記載の発明に係る眼鏡レンズの製造方法は、請求項５乃至７のいずれかに記載の発明において、上記切削工程は、この切削工程により形成された周縁部と、凸面、凹面又は掘削工程により掘削された曲面との継ぎ目を平滑にする平滑工程を備えることを特徴とするものである。
【発明の効果】
【００１７】
請求項1に記載の発明によれば、処方度数を有するレンズ有効領域の周辺領域に、処方度数を有しない領域が設けられたことから、この周辺領域を透過する光が屈折しないので、被写体の位置を正確に視認できると共に、周辺領域を通して見える眼鏡装用者の顔の輪郭の変化を低減できる。
【００１８】
また、レンズ有効領域の周辺領域が処方度数を有しない領域とされたことから、眼鏡レンズの全面に処方度数が設けられた場合に比べ、コストを上昇させることなく、眼鏡レンズを軽量化でき、更にこば厚を小さくして眼鏡レンズの外観を向上させることができる。
【００１９】
請求項２に記載の眼鏡レンズによれば、凸面または凹面の周縁に位置し、その凸面または凹面の周縁の仮想曲面よりもレンズ内部側に形成された周縁部は、当該周縁部が連設して形成された上記凸面または上記凹面に対し反対側の面(周縁部が凸面に連設する場合には凹面、周縁部が凹面に連設する場合には凸面)の曲率と同一の曲率に形成されるので、その周縁部の屈折度数(屈折力)の値はゼロとなる。即ち、周縁部は、その周縁部を通過する光を屈折させることなく通過させるので、プリズム作用が発生することがない。その結果、被写体の位置を正確に視認させることができ、且つ周縁部を通して見える眼鏡装用者の顔の輪郭の変化を低減できる。
【００２０】
また、周縁部が、凸面または凹面の周縁の仮想曲面よりもレンズ内部側に形成されるので、眼鏡レンズは、仮想曲面に沿って凸面または凹面が形成された場合の眼鏡レンズよりもこば厚を小さくでき、軽量化できると共に、外観を向上させることができる。また、屈折率の高い材質を使用せずにこば厚を小さくできるので、こば厚が同じ場合であれば、屈折率の高い材質を使用する場合よりも、眼鏡レンズを安価に製造することができる。
【００２１】
請求項３に記載の眼鏡レンズによれば、周縁部に連設する凸面または凹面の外周の形状が半径１．０から２．５ｃｍの円形状に構成されている。ここで、人間の眼が眼鏡レンズを使用する際には、当該眼鏡レンズにおいて、人間の眼に対応するアイポイントを中心とする半径略２ｃｍの円形状の領域が使用される。よって、凸面または凹面の外周形状が半径１．０から２．５ｃｍの円形状とされたことから、人間の眼の視野を狭めることなく、人間の眼の視力を、所定の屈折度数を有する凸面または凹面の領域で良好に補正することができる。
【００２２】
請求項４に記載の眼鏡レンズによれば、周縁部に連設する凸面または凹面の外周の形状が、水平方向に横長の楕円形状に構成されている。ここで、人間の視野は、上下の視野よりも左右の視野の方が広い。即ち、凸面または凹面の外周の形状が水平方向に横長の楕円形状とされているので、かかる水平方向に横長の人間の視野を、所定の屈折度数を有する凸面または凹面の領域で良好に補正することができる。
【００２３】
請求項５に記載の眼鏡レンズの製造方法によれば、成形工程により所定の曲率の曲面を有する凸状の凸面が成形されると共に、この凸面の反対側に、当該凸面の曲率とは異なる曲率の曲面を有する凹状の凹面が成形され、その後に、切削工程により上記凸面または上記凹面の周縁が切削されて、この周縁が切削された面と反対側の面の曲率と同一の曲率の曲面を有する周縁部が成形される。よって、凸面または凹面の曲率と同一の曲率で成形される周縁部を、既成の眼鏡レンズを用いて形成することができる。
【００２４】
また、形成された周縁部は、当該周縁部が連設して形成された凸面または凹面に対し反対側の面(周縁部が凸面に連設する場合には凹面、周縁部が凹面に連設する場合には凸面)の曲率と同一の曲率で形成されるので、その周縁部の屈折度数がゼロとなる。即ち、周縁部は、その周縁部を通過する光を屈折させることなく通過させるので、プリズム作用が発生せず、その結果、被写体の位置を正確に視認させることができ、且つ周縁部を通して見える眼鏡装用者の顔の輪郭の変化を低減できる。
【００２５】
また、凸面または凹面の周縁を切削して周縁部を形成するので、眼鏡レンズを薄くすることができ、その分、眼鏡レンズ自体を軽量化でき、また、こば厚が小さくなって外観を向上させることができる。更に、屈折率の高い材質を使用せずにこば厚を小さくするので、こば厚が同じ場合であれば、屈折率の高い材質を使用する場合よりも眼鏡レンズを安価に製造することができる。
【００２６】
請求項６に記載の眼鏡レンズの製造方法によれば、成形工程の後に、凹面の周縁よりも内側が掘削工程によって掘削され、その凹面の曲率よりも大きな曲率の曲面が形成される。よって、成形工程の後において、凹面の周縁よりも内側の屈折度数を大きくすることができ、その分、眼鏡装用者の視力に合わせて眼鏡レンズを製造することができる。
【００２７】
請求項７に記載の眼鏡レンズの製造方法によれば、掘削工程が切削工程の前に行われる。よって、掘削工程により掘削された曲面の形状に基づいて周縁部を形成することができるので、周縁部を形成する際の、当該周縁部の位置決めを容易に行うことができる。
【００２８】
請求項８に記載の眼鏡レンズの製造方法によれば、平滑工程が、切削工程により形成された周縁部と、凸面、凹面または掘削工程により掘削された曲面との継ぎ目を平滑にする。よって、切削工程により形成された周縁部と、凸面、凹面または掘削加工により掘削された曲面とを滑らかに連続させることができる。
【発明を実施するための最良の形態】
【００２９】
以下、本発明を実施するための最良の形態を、図面に基づき説明する。
(Ａ)  第１実施形態(図１、図２)
まず、図１及び図２を参照して、第１実施形態の眼鏡レンズ１について説明する。図１（Ａ）は、第１実施形態の眼鏡レンズ１の正面図であり、図１（Ｂ）は、図１（Ａ）の１Ｂ−１Ｂ線に沿う断面図である。
【００３０】
図１（Ａ）に示すように、眼鏡レンズ１の平面形状は中心軸Ｏを中心とする円形状であり、図１（Ａ）の手前側に後述する凸状の凸面１１を備えている。なお、図１（Ａ）中の破線Ａは、後述する凹面１２と周縁部１３との継ぎ目、即ち、凹面１２の外周を示すものである。この凹面１２の外周の形状は、例えば半径２ｃｍの円形状である。また、眼鏡レンズ１は、プラスチック材料で形成されている。
【００３１】
次に、図１（Ｂ）に示すように、眼鏡レンズ１は、曲率中心点Ｍを中心とする曲率半径Ｒの曲面で形成された凸状の凸面１１と、この凸面１１の反対側に位置し、曲率中心点Ｌを中心とする曲率半径ｒの曲面で形成された凹状の凹面１２と、この凹面１２に連設してその周縁に位置し、曲率中心点Ｈを中心とする曲率半径Ｒの曲面で形成された凹状の周縁部１３とを備え、こば厚ｔ３を有している。尚、曲率中心点Ｌ、Ｍ、Ｈは眼鏡レンズ１の中心軸Ｏ上に位置し、凹面１２からは曲率中心点Ｌ、曲率中心点Ｍ、曲率中心点Ｈの順に遠ざかっており、曲率中心点Ｌが最も凹面１２に近い。
【００３２】
一般に、曲率は曲率半径の逆数で表され、曲率半径Ｒは曲率半径ｒよりも大きいので、凸面１１の曲率は凹面１２の曲率よりも小さくなる。この凸面１１の曲率により規定される凸面１１の面屈折力と、凹面１２の曲率により規定される凹面１２の面屈折力との和によって、凹面１２の領域に所定の屈折度数(処方度数)が設定される。従って、この凹面１２の領域が処方度数を有するレンズ有効領域となる。
【００３３】
上記周縁部１３は、曲率半径Ｒの曲面で形成されており、周縁部１３が連設して形成される凹面１２に対し反対側の凸面１１の曲率に等しい。この周縁部１３は、凹面１２の周縁の仮想曲面１４よりもレンズ内部側、つまり凸面１１側に形成されている。この仮想曲面１４とは、凹面１２の周縁(継ぎ目Ａ)よりも半径方向外側において想定された、曲率中心点Ｌを中心とする曲率半径ｒの曲面である。よって、周縁部１３は、凸面１１の曲率と同一の曲率で形成されるので、その屈折度数の値がゼロとなり、当該周縁部１３を通過する光を屈折させることなく通過させる屈折度数のない領域となる。
【００３４】
また、周縁部１３が仮想曲面１４よりも凸面１１側に形成されているので、眼鏡レンズ１のこば厚ｔ３を、屈折率の高い材質を使用せずに、仮想曲面１４に沿って凹面１２が形成された場合のこば厚ｔ４よりも小さくすることができる。即ち、第１実施形態の眼鏡レンズ１によれば、軽量化及び外観の向上を安価に行いつつ、被写体の位置を正確に視認させることができ、且つ周縁部１３を通して見える眼鏡装用者の顔の輪郭の変化を低減できる。
【００３５】
また、人間の眼が眼鏡レンズ１を使用する際には、当該眼鏡レンズ１において、人間の眼に対応するアイポイントを中心とする半径略２ｃｍの円形状の領域が使用される。よって、凹面１２の外周の形状が例えば半径２ｃｍの円形状で構成されているので、人間の眼の視野を狭めることなく、人間の眼の視力を所定の屈折度数を有する凹面１２の領域で良好に補正することができる。
【００３６】
次に、図２を参照して、眼鏡レンズ１の製造方法について説明する。
図２は、図１（Ｂ）に対応し、図１の眼鏡レンズ１の製造方法を説明するための製造工程を順次示す眼鏡レンズの断面図である。
【００３７】
まず、図２（Ａ）に示すように、曲率中心点Ｍを中心とする曲率半径Ｒの曲面で形成された凸状の凸面１１と、この凸面１１の反対側に位置し、曲率中心点Ｌを中心とする曲率半径ｒの曲面で形成された凹面１２Ａとを備え、こば厚ｔ４を有する既成の眼鏡レンズ２１を用意する。なお、この凹面１２Ａの形状は、図１（Ｂ）で示した凹面１２と仮想曲面１４とが連続している場合の形状に一致する。また、眼鏡レンズ２１は、例えば、型成形、または円筒状のプラスチック材料を研磨することにより成形されたものである。
【００３８】
次に、図２（Ｂ）及び（Ｃ）に示すように、レンズ加工機（図示せず）を用いて曲面１２Ａの周縁を切削し、周縁部１３を形成していく。このとき、かかるレンズ加工機により、凹面１２Ａと周縁部１３との継ぎ目Ａを平滑にしつつ周縁部１３を形成する。この周縁部１３は、曲率中心点Ｈを中心とする曲率半径Ｒの曲面に形成される。
【００３９】
その結果、図２（Ｃ）に示すように、上記凸面１１、凹面１２、及び周縁部１３を備え、こば厚ｔ３(ｔ３＜ｔ４)を有する眼鏡レンズ１を形成することができる。なお、その後、凸面１１、凹面１２、及び周縁部１３の表面にコーティング塗料（例えば、コロイド充填物、酸化チタン、酸化ジルコニウム、酸化スズ、または酸化アンチモンなどの無機酸化物）がコーティングされる。
【００４０】
よって、眼鏡レンズ１は、凸面１１の曲率と同一の曲率で形成される周縁部１３を、既成の眼鏡レンズ２１を用いて形成することができる。また、形成された凹面１２と周縁部１３との継ぎ目Ａを平滑にするので、これらの凹面１２と周縁部１３とを滑らかに連続させることができる。更に、凸面１１、凹面１２、及び周縁部１３の表面がコーティング塗料によりコーティングされるので、コーティングされた部分に傷または汚れが発生することを防止できる。
【００４１】
(Ｂ)  第２実施形態(図３)
次に、図３を参照して、第２実施形態の眼鏡レンズ１Ａの製造方法について説明する。図３は、図１（Ｂ）に対応し、第２実施形態の眼鏡レンズ１Ａの製造方法を説明するための製造工程を順次示す眼鏡レンズの断面図である。
【００４２】
前記第１実施形態の眼鏡レンズ１の製造方法は凹面１２Ａの周縁のみを切削する方法であったが、第２実施形態の眼鏡レンズ１Ａの製造方法は、凹面１２Ａの周縁よりも内側を掘削する点が異なる。これにより、眼鏡装用者の視力に合わせて眼鏡レンズを製造することができる。なお、第２実施形態の眼鏡レンズ１Ａの製造方法において、前記第１実施形態の眼鏡レンズ１の製造方法と同様な部分は、同一の符号を付すことにより説明を省略する。
【００４３】
まず、図３（Ａ）に示すように、前述の既成の眼鏡レンズ２１(図２(Ａ))を用意する。次に、図３（Ｂ）に示すように、レンズ加工機で凹面１２Ａの周縁よりも内側を掘削し、曲率中心点Ｐを中心とする曲率半径ｒＡの曲面で形成された凹状の凹面１２Ｂを形成する。この曲率中心点Ｐは眼鏡レンズ２１の中心軸Ｏ上に位置し、曲率中心点Ｐの凹面１２Ｂからの距離は曲率中心点Ｌよりも小さい。また、曲率半径ｒＡは曲率半径ｒよりも小さく、凹面１２Ｂの曲率は凹面１２Ａの曲率よりも大きい。
【００４４】
図３（Ｃ）及び（Ｄ）に示すように、凹面１２Ｂの形成後、この凹面１２Ｂの外周に基づいてレンズ加工機で凹面１２Ｂの周縁を切削し、曲率中心点Ｈを中心とする曲率半径Ｒの曲面を有する凹状の周縁部１３Ａを、凹面１２Ｂに連設して形成していく。尚、このとき、凹面１２Ｂと周縁部１３Ａとの継ぎ目Ａを平滑にしつつ、周縁部１３Ａを形成する。
【００４５】
その結果、図３（Ｄ）に示すように、上記凸面１１、凹面１２Ｂ及び周縁部１３Ａを備え、こば厚ｔ５を有する眼鏡レンズ１Ａを形成することができる。その後、凸面１１、凹面１２Ｂ及び周縁部１３Ａの表面にコーティング塗料をコーティングする。
【００４６】
よって、眼鏡レンズ１Ａの製造方法において、凹面１２Ｂの屈折度数を凹面１２Ａの屈折度数よりも大きくできるので、眼鏡装用者の視力に合わせて眼鏡レンズを製造することができる。また、形成された凹面１２Ｂの形状に基づいて周縁部１３Ａを形成するので、周縁部１３Ａを形成する際の位置決めを容易に行うことができる。また、製造された眼鏡レンズ１Ａにおいて、周縁部１３Ａが凸面１１の曲率と同一の曲率で形成されるので、軽量化及び外観の向上を安価に行いつつ、被写体の位置を正確に視認させることができ、且つ周縁部１３Ａを通して見える眼鏡装用者の顔の輪郭の変化を低減できる。
【００４７】
(Ｃ)  第３実施形態(図４)
次に、図４を参照して、第３実施形態の眼鏡レンズ１Ｂについて説明する。図４（Ａ）は、第３実施形態の眼鏡レンズ１Ｂの正面図であり、図４（Ｂ）は、図４（Ａ）のIVＢ-IVＢ線に沿う断面図である。
【００４８】
前記第１実施形態の眼鏡レンズ１の凹面１２、及び第２実施形態の眼鏡レンズ１Ａの凹面１２Ｂの外周の形状は円形状に構成されていたが、第３実施形態の眼鏡レンズ１Ｂの凹面１２Ｃの外周の形状は、水平方向に横長の楕円形状に構成されている点が異なる。これにより、水平方向に横長の人間の眼の視野を狭めることなく、その視力を、所定の屈折度数(処方度数)を有する凹面１２Ｃの領域で補うことができる。なお、第３実施形態の眼鏡レンズ１Ｂにおいて、第１実施形態の眼鏡レンズ１及び策２実施形態の眼鏡レンズ１Ａと同様な構成は、同一の符号を付すことにより説明を省略する。
【００４９】
図４（Ａ）に示すように、眼鏡レンズ１Ｂの平面形状は中心軸Ｏを中心とする円形状であり、図４（Ａ）の手前側に凸面１１を備えている。尚、図４（Ａ）中の楕円形状の破線Ｂは、第１実施形態の凹面１２と同一の曲率の曲面を有する凹面１２Ｃの外周を示している。この凹面１２Ｃの外周の形状は、例えば、水平方向（長軸）の長さが４ｃｍで、上下方向（短軸）の長さが２.５ｃｍの水平方向に横長の楕円形状である。
【００５０】
また、図４（Ｂ）に示すように、眼鏡レンズ１Ｂは、凸面１１と、この凸面１１の反対側に位置し、曲率中心点Ｌを中心とする曲率半径ｒの曲面で形成された凹状の凹面１２Ｃと、この凹面１２Ｃに連設してその周縁に位置し、曲率中心点Ｈを中心とする曲率半径Ｒの曲面で形成された周縁部１３Ｂとを備え、こば厚ｔ３を有している。
【００５１】
ここで、人間の眼の視野は、上下の視野よりも左右の視野の方が広い。本第３実施形態では、凹面１２Ｃの外周形状が水平方向に横長の楕円形状とされているので、かかる水平方向に横長の人間の眼の視野を狭めることなく、その視力を、所定の屈折度数を有する凹面１２Ｃの領域で良好に補正することができる。
【００５２】
また、第３実施形態の眼鏡レンズ１Ｂにおいても、周縁部１３Ｂが凸面１１の曲率と同一の曲率で形成されるので、周縁部１３を通過する光を屈折させることなく通過させることができる。更に、周縁部１３Ｂが仮想曲面１４よりも凸面１１側に形成されているので、眼鏡レンズ１Ｂのこば厚ｔ３を、屈折率の高い材質を使用せずに、仮想曲面１４に沿って凹面１２Ｃが形成された場合のこば厚ｔ４よりも小さくすることができる。このように、この第３実施形態の眼鏡レンズ１Ｂにおいても、軽量化及び外観の向上を安価に行いつつ、被写体の位置を正確に視認させることができ、且つ周縁部１３Ｂを通して見える眼鏡装用者の顔の輪郭の変化を低減できる。
【００５３】
尚、上述の各実施形態において、請求項に記載の成形工程としては、形成型、または、円筒状のプラスチック材料を研磨して眼鏡レンズ２１を成形する工程が該当する。また、切削工程としては、レンズ加工機で凹面１２Ａの周縁を切削して周縁部１３を形成する工程、凹面１２Ｂの周縁を切削して周縁部１３Ａを形成する工程、及び凹面１２Ｃの周縁を切削して周縁部１３Ｂを形成する工程が該当する。また、掘削工程としては、レンズ加工機で凹面１２Ａの周縁よりも内側を掘削する工程が該当する。更に、平滑工程としては、周縁部１３と凹面１２との継ぎ目Ａを平滑にする工程、周縁部１３Ａと凹面１２Ｂとの継ぎ目Ａを平滑にする工程、及び周縁部１３Ｂと凹面１２Ｃとの継ぎ目Ｂを平滑にする工程が該当する。
【００５４】
以上、本発明を上記実施の形態に基づいて説明したが、本発明はこれに限定されるものではない。
例えば、第１及び第２実施形態における凹面１２、１２Ｂの外周形状は、半径２ｃｍの円形状の場合を述べたが、半径を１．５〜２.５ｃｍの範囲の値とした円形状としても良い。かかる場合においても、人間の眼の視野を狭めることなく人間の眼の視力を、所定の屈折度数を有する凹面１２の領域で良好に補正することができる。
【００５５】
また、図３に示した眼鏡レンズ１Ａの製造方法において、凹面１２Ｂを形成した後に周縁部１３Ａを形成するものを述べたが、周縁部１３Ａを形成した後に凹面１２Ｂを形成しても良い。かかる場合においても、軽量化及び外観の向上を安価に行いつつ、被写体の位置を正確に視認させること等を実現できる。
【００５６】
更に、上記第１〜第３実施形態においては、凹面１２、１２Ｂ、１２Ｃの周縁に屈折度数のない周縁部１３、１３Ａ、１３Ｂを設けたものを述べたが、凸面１１の周縁に、屈折度数のない周縁部を設けてもよい。
【００５７】
また、本発明に係る眼鏡レンズを、図５に示すサングラス３０に適用することができる。この第４実施形態のサングラス３０は、左右一体型のサングラスであり、眼鏡装用者の両眼に対応するそれぞれの位置に、所定の屈折度数（処方度数）を有するレンズ有効領域３１が設けられ、これらのレンズ有効領域３１の周辺の、当該レンズ有効領域３１以外の領域に屈折度数のない領域３２が設けられる。このサングラス３０にあっても、レンズ有効領域３１以外の領域３２に屈折度数が設けられていないので、軽量化を達成できると共に、こば厚が小さくなって外観を向上させることができる。その他、このサングラス３０にあっても、被写体の位置を正確に視認させることができ、且つ上記領域３２を通して見える眼鏡装用者の顔の輪郭の変化を低減することができる。
【００５８】
また、上記第１〜第４実施形態において、屈折度数を有する凹面１２、１２Ｂ、１２Ｃの各領域、またはレンズ有効領域３１は、単焦点レンズを構成する場合の他、多焦点レンズ(２重焦点レンズ、３重焦点レンズ、累進焦点レンズ等)を構成する場合も含まれる。
【図面の簡単な説明】
【００５９】
【図１】（Ａ）は、第１実施形態の眼鏡レンズの正面図であり、（Ｂ）は、図１（Ａ）のIＢ-IＢ線に沿う断面図である。
【図２】図１（Ｂ）に対応し、図１の眼鏡レンズの製造方法を説明するための製造工程を順次示す眼鏡レンズの断面図である。
【図３】図１（Ｂ）に対応し、第２実施形態の眼鏡レンズの製造方法を説明するための製造工程を順次示す眼鏡レンズの断面図である。
【図４】（Ａ）は、第３実施形態の眼鏡レンズの正面図であり、（Ｂ）は、図４（Ａ）のIVＢ-IVＢ線に沿う断面図である。
【図５】第４実施形態の眼鏡レンズ(サングラス)を示す正面図である。
【図６】（Ａ）は、従来の近眼用の眼鏡レンズを直径に沿って切断して示す断面図であり、（Ｂ）は、従来の図６(Ａ)の眼鏡レンズと同じ材質で形成されると共に、従来の上記眼鏡レンズよりも屈折度数が大きな眼鏡レンズを直径に沿って切断して示す断面図である。
【符号の説明】
【００６０】
１、１Ａ、１Ｂ  眼鏡レンズ
１１  凸面
１２、１２Ａ、１２Ｂ、１２Ｃ  凹面(レンズ有効領域)
１３、１３Ａ、１３Ｂ  周縁部
１４  仮想曲面
ｔ１〜ｔ５  こば厚
３０  サングラス(眼鏡レンズ)
３１  レンズ有効領域
３２  領域
【図１】
2007192845.tif 000003
【図２】
2007192845.tif 000004
【図３】
2007192845.tif 000005
【図４】
2007192845.tif 000006
【図５】
2007192845.tif 000007
【図６】
2007192845.tif 000008